(57)【要約】      （修正有）【課題】冷感持続度を向上させる捺染生地を提供する。【解決手段】冷感材料１と、基底生地２とを含み、冷感材料１が基底生地２の背面に塗布され、且つ冷感材料１と基底生地２とが、印圧によって連結されている冷感持続度を向上させる捺染生地であって、冷感材料１の模様が円形状、円形・四角形の間隔状、縦縞や横縞であり、基底生地２が冷感生地１や普通の生地である。捺染生地は、冷感値を３０％向上することができることで、冷感効果を効果的に向上させ、冷感効果の持続度を延長することができる。捺染生地が二回の捺染を完了した後に乾燥されるため、捺染がより堅牢で水洗に耐え、複数回の水洗により脱落することがなく、使用しやすく、使用範囲が広く、良好な優越性および使用感を有するため、実際の適用価値、および広い適用見込みを有する。【選択図】図３
0003223530.tif 000002
【実用新案登録請求の範囲】
【請求項１】
冷感材料と、基底生地とを含み、前記冷感材料が前記基底生地の背面に塗布される、ことを特徴とする冷感持続度を向上させる捺染生地。
【請求項２】
前記冷感材料と前記基底生地とが印圧によって連結されている、ことを特徴とする請求項１に記載の冷感持続度を向上させる捺染生地。
【請求項３】
前記冷感材料が冷感捺染剤である、ことを特徴とする請求項１に記載の冷感持続度を向上させる捺染生地。
【請求項４】
前記冷感捺染剤が、ＰＣＭ相変化冷感カプセルと、アルミナと、捺染バインダーと、硬化剤とを含む、ことを特徴とする請求項３に記載の冷感持続度を向上させる捺染生地。
【請求項５】
冷感材料の模様が円形状、円形・四角形の間隔状、縦縞および横縞の１種である、ことを特徴とする請求項１に記載の冷感持続度を向上させる捺染生地。
【請求項６】
前記基底生地が冷感生地、および普通の生地の１種である、ことを特徴とする請求項１に記載の冷感持続度を向上させる捺染生地。
【請求項７】
前記冷感材料の表面積が０．０１ｃｍ２−９ｃｍ２である、ことを特徴とする請求項１に記載の冷感持続度を向上させる捺染生地。
【請求項８】
前記冷感材料同士の間隔距離が０．１ｃｍ−３．０ｃｍである、ことを特徴とする請求項１に記載の冷感持続度を向上させる捺染生地。
【請求項９】
前記基底生地の目付が３０ｇ／ｍ２−３００ｇ／ｍ２である、ことを特徴とする請求項１に記載の冷感持続度を向上させる捺染生地。
【考案の詳細な説明】
【技術分野】
【０００１】
本考案は、生地紡績分野に属し、具体的には、冷感持続度を向上させる捺染生地に関する。
【背景技術】
【０００２】
生地は、人々の欠かせない生活用品であり、衣類、テーブルクロス及び寝具などの製造に広く用いられている。しかしながら、生活レベルの向上に伴い、人々は、普通の生地の作用、スタイルおよび顔色だけに焦点を当てるのではなく、環境に優しい生地、弾性生地、防水生地などの付加的な機能を有するものが追いかけられている。生地のある機能（例えば、防水機能、難燃機能）は、機能的仕上げ技術を用いて解決することができるが、ある機能は、機能的捺染プロセス技術を用いて処理しなければならないこそ、より効果的となり、機能的な要求をより達成することができる。例えば、織物の下着には保温機能を有する模様、コートや帽子には発光機能を有する模様や、スポーツタオルには冷却機能を有する模様が捺染されている。
【０００３】
暑く多湿の夏には、冷感捺染生地による家庭用品は、最初のオプションとなっており、独特なプロセスを用いて、生地を快速に放熱させ、汗の排出を加速させ、体温を下げることで、織物の涼しさおよび快適感を保持することができる。しかしながら、現在の実際適用において、冷感捺染生地の冷感効果がよくなく持続性が低く、数十分後の使用感が普通の生地と相違がなく、さらに、ある捺染生地が水洗に耐えず、堅牢性が悪いため、極めて大きく人々の使用に影響を及ぼしている。
【考案の概要】
【０００４】
本考案は、上記背景技術に係る問題を解決するために、冷感持続度を向上させる捺染生地を提供することを目的とする。
【０００５】
上記目的を達成するために、本考案は以下の技術案を講じた。
【０００６】
本考案は、冷感材料と、基底生地とを含み、前記冷感材料が前記基底生地の背面に塗布される、冷感持続度を向上させる捺染生地を提供する。
【０００７】
さらに、前記冷感材料と前記基底生地とが、印圧によって連結されている。
【０００８】
さらに、前記冷感材料が冷感捺染剤である。
【０００９】
さらに、前記冷感捺染剤が、ＰＣＭ相変化冷感カプセルと、アルミナと、捺染バインダーと、硬化剤とを含む。
【００１０】
さらに、前記冷感材料の模様が円形状、円形・四角形の間隔状、縦縞および横縞の１種である。
【００１１】
さらに、前記基底生地が冷感生地、および普通の生地の１種である。
【００１２】
さらに、前記冷感材料の厚みが０．１ｍｍ−１ｍｍである。
【００１３】
さらに、前記冷感材料同士の間隔距離が０．１ｃｍ−３．０ｃｍである。
【００１４】
さらに、前記基底生地の目付が３０ｇ／ｍ２−３００ｇ／ｍ２である。
【００１５】
従来技術と比べ、本考案は、以下の利点および有益な効果を有する。
【００１６】
（１）本考案に係る冷感持続度を向上させる捺染生地は、冷感値を効果的に３０％向上させることができることで、冷感効果を向上させ、冷感効果の持続度を効果的に延長することもできる。
【００１７】
（２）当該捺染生地が二回印圧、低温乾燥および高温乾燥を介して冷感捺染剤を基底生地に印圧させることで、当該捺染生地における捺染がより堅牢で水洗に耐え、複数回の水洗により脱落することがない。
【００１８】
（３）当該捺染生地は、使用しやすく、使用範囲が広く、マットレス、枕カバー、シーツ、布団カバーおよびじゅうたんなどの様々な生活用品の製造に用いられることを可能となり、他の製品よりもより良好な優越性および使用感を有することで、実際の適用価値および広い適用見込みを有する。
【図面の簡単な説明】
【００１９】
【図１】本考案に係る冷感持続度を向上させる捺染生地の製造フロチャートである。
【図２】本考案に係る的冷感持続度を向上させる円形状の捺染生地の模式図である。
【図３】本考案に係る冷感持続度を向上させる円形・四角形の間隔状の捺染生地の模式図である。
【図４】本考案に係る冷感持続度を向上させる横縞の捺染生地の模式図である。
【図５】本考案に係る冷感持続度を向上させる縦縞の捺染生地の模式図である。
【符号の説明】
【００２０】
１：冷感材料
２：基底生地
【考案を実施するための形態】
【００２１】
以下、具体的な実施例を結び付けて、本考案の技術案について詳細に説明する。
【００２２】
実施例１
本考案に係る冷感持続度を向上させる捺染生地は、冷感材料１と、基底生地２とを含み、冷感効果を持続に提供するように、冷感材料１が基底生地２の背面に塗布され、さらに冷感材料１と基底生地２とが印圧によって連結されている。そのうち、基底生地は、冷感生地であってもよいし、普通の生地であってもよい。
【００２３】
本考案に係る冷感持続度を向上させる捺染生地は、製造過程が以下の通りである。
【００２４】
捺染前、フラットスクリーン捺染機の２つのスクリーンプレート同士に５メートル間隔を置いた箇所に低温オーブンを取り付け、調製した捺染冷感剤をスクリーンプレートに置く。具体的な製造過程は、図１に示されている。
【００２５】
（１）基底生地を伝動ベルトに固定させた後、伝動システムに進入し、基底生地の背面が捺染フラットスクリーンの位置と整列して安定的に停止した後、スクリーンプレート（１）が押圧し基底生地に密着して、スクリーンプレートに置かれた捺染冷感剤を、透かし彫りの模様を通じて基底生地に捺染させる。そのうち、一回目の捺染時、圧力が必ず軽くなければならず、ゲル状フィルムの形成に寄与する。
【００２６】
（２）ゲル状フィルムを形成した後の基底生地が伝動ベルトによって継続して前へ伝動してオーブンに進入し、低温でゲル状フィルムを乾燥させる。
【００２７】
（３）乾燥されたゲル状フィルムが付けられた基底生地がスクリーンプレート（２）に伝動され、スクリーンプレート（２）の押圧力で、２回目で透かし彫りの模様を通じて捺染冷感剤を基底生地に捺染させる。そのうち、この際の圧力が１回目よりも２倍となる。
【００２８】
（４）２回目の捺染を完了した基底生地が伝動システムの駆動下で、１５０℃の高温オーブンで、ゲル状フィルムを徹底的に乾燥させた後、冷感持続度を向上させる捺染生地を製造した。
【００２９】
完成品の模様は、図２−５に示すように、冷感材料１の厚みが０．１ｍｍ−１  ｍｍであり、基底生地の目付が３０ｇ／ｍ２−３００ｇ／ｍ２であり、隣り合う冷感材料同士の距離が０．１ｃｍ−３．０ｃｍであり、模様が円形状、円形・四角形の間隔状、縦縞や横縞であってもよいし、クライアントの必要に応じて模様の形状およびサイズをカスタマイズしてもよい。
【００３０】
そのうち、捺染冷感剤の調製過程は、以下の通りである。
【００３１】
（１）白い乳液状のＰＣＭ相変化冷感カプセルおよび熱伝導剤であるアルミナを混合容器で均一に混合して混合物Ａを形成した後、１２時間静置する。
【００３２】
（２）捺染バインダーを混合物Ａの所在する容器に添加し、高速撹拌を行って混合物Ｂを形成する。
【００３３】
（３）硬化剤を混合物Ｂに添加し、高速撹拌を行ってゲル状の冷感捺染剤を形成した後、密封保存して準備する。
【００３４】
ＰＣＭ相変化冷感カプセル、アルミナ、捺染バインダーおよび硬化剤の重量含有量がそれぞれ３５％、５０％、１０％および５％である場合、調製した冷感捺染剤は、優れている感効果および手触りを達成することができる。
【００３５】
本考案に係る冷感持続度を向上させる捺染生地は、使用しやすく、使用範囲が広く、マットレス、枕カバー、シーツ、布団カバーおよびじゅうたんなどの様々な生活用品の製造に用いられることを可能となり、基布や綿などの材料とキルティングされればよい。当該冷感値を３０％向上することができることで、冷感効果を効果的に向上させ、冷感効果の持続度を延長することができるだけでなく、当該捺染生地がより良好な堅牢性および耐水洗性を有し、複数回の水洗により脱落することがなく、他の製品よりもより良好な優越性および使用感を有することで、実際の適用価値および広い適用見込みを有する。
【００３６】
上記実施例は、本考案の技術案を説明するためのものに過ぎず、限定するものではない。上述した実施例を参照して本考案について詳細に説明したが、当業者にとって、依然として上述した実施例に係る技術案に対して修正を行うことができるか、或いはそのうちの一部の技術的特徴に対して均等置換を行うことができる。これらの修正や置換は、相応の技術案の本質を、本考案が保護を要求しようとする技術案の構想と範囲から逸脱させない。
【図１】
0003223530.tif 000003
【図２】
0003223530.tif 000004
【図３】
0003223530.tif 000005
【図４】
0003223530.tif 000006
【図５】
0003223530.tif 000007